(57)【要約】【課題】特殊光沢を生じさせるインクを用いた印刷物において質感を定量的に判断する。【解決手段】特殊光沢を有するインクを含んで形成される印刷物の質感であって、前記印刷物の反射強度の分布と、前記印刷物の反射角度の分布と、を含む複数の指標値の組合せにより規定される質感を指定させる質感指定画像を表示する表示手段と、前記質感指定画像をもとに指定された質感に応じた処理を実行する処理手段と、を有する。【選択図】図４
2013143719.tif 000002
【特許請求の範囲】
【請求項１】
特殊光沢を有するインクを含んで形成される印刷物の質感であって、前記印刷物の反射強度の分布と、前記印刷物の反射角度の分布と、を含む指標値の組合せにより規定される質感を指定させる質感指定画像を表示する表示手段と、
前記質感指定画像をもとに指定された質感に応じた処理を実行する処理手段と、を有する画像処理装置。
【請求項２】
前記質感は、前記各指標値の標準偏差に基づいて決定される、請求項１に記載の画像処理装置。
【請求項３】
前記質感指定画像は、前記各指標値の組合せに応じた質感を備える画像を表示する、請求項１又は請求項２のいずれかに記載の画像処理装置。
【請求項４】
前記処理手段は、前記質感指定画像をもとに、設定された質感に応じて、入力色データーを色材の使用量を示す出力色データーに変換するプロファイルを選択する、請求項１から請求項３のいずれか一項に記載の画像処理装置。
【請求項５】
前記プロファイルは、メタリックインクにおけるプロファイルと、前記メタリックインクを含まないインクにおけるプロファイルである、請求項４に記載の画像処理装置。
【請求項６】
特殊光沢を有するインクを含んで形成される印刷物の質感であって、前記印刷物の反射強度の分布と、前記印刷物の反射角度の分布と、を含む複数の指標値の組合せにより規定される質感を指定させる質感指定画像を表示する表示工程と、
前記質感指定画像をもとに指定された質感に応じた処理を実行する処理工程と、を有する画像処理方法。
【請求項７】
コンピューターに、
特殊光沢を有するインクを含んで形成される印刷物の質感であって、前記印刷物の反射強度の分布と、前記印刷物の反射角度の分布と、を含む複数の指標値の組合せにより規定される質感を指定させる質感指定画像を表示する表示機能と、
前記質感指定画像をもとに指定された質感に応じた処理を実行する処理機能と、を実現させるプログラム。
【発明の詳細な説明】
【技術分野】
【０００１】
本発明は、印刷物に特殊光沢を生じさせるインクを用いて印刷された印刷物の質感に関する。
【背景技術】
【０００２】
従来、アルミニウム等の金属を含んだインク（以下、メタリックインクとも記載する）を用いて印刷物を形成する場合がある。このようなメタリックインクでは、観察光源下において、光の反射角度や反射強度が変化するため、印刷物に金属光沢を生じさせることができる（例えば、特許文献１参照。）。
【先行技術文献】
【特許文献】
【０００３】
【特許文献１】特開２０１０−５２２０７号公報
【発明の概要】
【発明が解決しようとする課題】
【０００４】
メタリックインクを使用する印刷物において、質感の判断は人の目による官能的な判断に頼るしかなく、統一されたものとならなかった。そのため、印刷物の質感を定量的に判断することが難しかった。
【０００５】
本発明は、上記課題にかんがみてなされたもので、特殊光沢を生じさせるインクを用いた印刷物において質感を定量的に判断することができる画像処理装置、画像処理方法、及びプログラムの提供を目的とする。
【課題を解決するための手段】
【０００６】
上記課題を解決するために、本発明では、特殊光沢を有するインクを含んで形成される印刷物の質感であって、前記印刷物の反射強度の分布と、前記印刷物の反射角度の分布と、を含む複数の指標値の組合せにより規定される質感を指定させる質感指定画像を表示する表示手段と、前記質感指定画像をもとに指定された質感に応じた処理を実行する処理手段と、を有する。
【０００７】
上記のように構成された発明では、表示手段は、質感指定画像により、印刷物の反射強度の分布と、印刷物の反射角度の分布と、を含む複数の指標値の組合せにより規定される質感を示す。そのため、この質感指定画像をもとに、ユーザーが指定した質感に応じて、処理手段が処理を実行する。
【図面の簡単な説明】
【０００８】
【図１】印刷装置１０の概略構成図である。
【図２】また、図２は、印刷装置１０の概略構成である。
【図３】印刷処理を説明するフローチャートである。
【図４】質感指定画像を説明する図である。
【図５】色変換ＬＵＴ作成装置を示すブロック構成図である。
【図６】また、図６は、色変換ＬＵＴを作成するためのフローチャートである。
【図７】多角度分光プリンティングモデルコンバーターＲＣについて説明する図である。
【図８】各コンバーターＣｍＣ、ＴｍＣを説明する図である。
【図９】質感プロファイル３３を作成する手法を説明するフローチャートである。
【図１０】質感プロファイル３３を作成する手法を説明する図である。
【発明を実施するための形態】
【０００９】
以下、本発明の実施形態を説明する。
【００１０】
（Ａ）実施例の概要：
図１は、印刷装置１０の概略構成図である。また、図２は、印刷装置１０の概略構成である。図示するように、本実施例の印刷装置１０は、印刷制御装置としてのコンピューター１００と、コンピューター１００の制御の下で実際に画像を印刷するプリンター２００などから構成されている。そのため、印刷装置１０は、全体が一体となって広義の印刷装置として機能する。
【００１１】
コンピューター１００は、コントローラー２０と、ハードディスク６６と、を備える。例えば、コントローラー２０は、ＣＰＵ、ＲＯＭ、ＲＡＭにより構成され、所定のプログラムにより演算を行うことができる。また、コンピューターは、ディスプレイ７０や、キーボード及びマウスにより構成された操作部７２と、が各ケーブルにより接続されている。また、コンピューター１００には、所定のオペレーティングシステムがインストールされており、このオペレーティングシステムの下で、アプリケーションプログラム３０、ビデオドライバー４０、プリンタードライバー５０が動作している。各プログラムの機能は、コントローラー２０がＲＯＭやＨＤＤ６６からプログラムを読み出して実行することで実現される。
【００１２】
アプリケーションプログラム３０は、データー供給部８０としてのメモリーカードから取得した画像データーＯＲＧの再生及びユーザーからの画質に対する指定を受けるためのプログラムである。画像データーＯＲＧを構成する各画素の画像データーには、当該画素の色を、予め定義づけた金属光沢上の色彩値（以下、メタリック色彩値Ｃｍとも記載する。）と、金属光沢の質感（以下、メタリック質感値Ｔｍとも記載する。）とで記録している。メタリック色彩値Ｃｍはレッド（Ｒ）、グリーン（Ｇ）、ブルー（Ｂ）の階調値で記録され、メタリック質感値Ｔｍはスカラー量として、記録されている。これら画像データーＯＲＧの詳細は後述する。
【００１３】
そして、プリンタードライバー５０の内部には、色変換モジュール５２と、ハーフトーンモジュール５４と、インターレースモジュール５６とが備えられている。
色変換モジュール５２は、色変換ルックアップテーブル（色変換ＬＵＴとも記載する。）を用いて、アプリケーションプログラム３０から取得した画像データーＯＲＧの各画素データーの色成分値（Ｒ，Ｇ、Ｂ、Ｄｍ）を、プリンター２００が備えるインク色のインク量の組合せ（以下、インク量セットとも記載する。）に変換する。色変換ＬＵＴ６４については後述する。
【００１４】
ハーフトーンモジュール５４は、色変換後のインク量セットに対して２値化処理を行ないドットデータの生成処理（以下、ハーフトーン処理とも記載する。）を行う。具体的には、ハーフトーンモジュール５４は、プリンタードライバー５０が予め用意しているディザマトリクスを用いて、画像データーをドットのオン／オフによって表現されたドットデータを生成する。
また、インターレースモジュール５６は、生成されたドットデータの並びを、プリンター２００に転送すべき順序に並べ替えて、プリンター２００に出力すると共に、印刷開始コマンドや印刷終了コマンドなどの各種コマンドをプリンター２００に出力する。
【００１５】
次に、プリンター２００の構成について説明する。図２に示すように、プリンター２００は、プリンター全体の制御を司るとともにコンピューター１００から印刷データーを受信する制御回路２２０と、操作パネル２２５とを備える。さらに、プリンター２００は、紙送りモーター２３５によって印刷媒体Ｐを搬送する機構と、キャリッジモーター２３０によって、キャリッジ２４０をプラテン２３６の軸方向に往復動させる機構と、印刷ヘッド２６０を駆動してインクの吐出及びドット形成を行う機構と、これらの紙送りモーター２３５、キャリッジモーター２３０、印刷ヘッド２６０とを備える。
【００１６】
制御回路２２０は、ＣＰＵや、ＲＯＭ、ＲＡＭ、ＰＩＦ（周辺機器インターフェース）等がバスで相互に接続されて構成されており、キャリッジモーター２３０および紙送りモーター２３５の動作を制御することによってキャリッジ２４０の主走査動作および副走査動作の制御を行う。また、ＰＩＦを介してコンピューター１００から出力された印刷データーを受け取ると、キャリッジ２４０が主走査あるいは副走査する動きに合わせて、印刷データーに応じた駆動信号を印刷ヘッド２６０に供給することによって、印刷ヘッド２６０を駆動するが可能となっている。
【００１７】
キャリッジ２４０には、シアンインク（Ｃ）と、マゼンタインク（Ｍ）と、イエロインク（Ｙ）と、ブラックインク（Ｋ）の各カラーインクに加え、金属光沢を有するメタリックインク（Ｍｔ）とをそれぞれ収容したカートリッジ２４１〜２４５が搭載される。キャリッジ２４０の下部の印刷ヘッド２６０には、これらの各色に対応する計５種類のインク吐出用ヘッドが形成されている。本実施形態では、インクカートリッジ２４１〜２４５は、図２に示すように、キャリッジ２４０の主走査方向にＣ、Ｍ、Ｙ、Ｋ、Ｍｔの順に配列されている。各ノズルにはピエゾ素子が備えられており、制御回路２２０がピエゾ素子の収縮運動を制御することによって、プリンター２００は各インク色に対してドットを形成することが可能となる。
【００１８】
ここで、メタリックインクの詳細について説明する。メタリックインクとは、印刷物が金属光沢を発現するインクであり、このようなメタリックインクとしては、例えば、金属顔料と有機溶媒と樹脂とを含む油性インク組成物を用いることができる。視覚的に金属的な質感を効果的に生じさせるためには、前述の金属顔料は、平板状の粒子であることが好ましく、この平板状粒子の平面上の直径をＸ、短径をＹ、厚みをＺとした場合、平板状粒子Ｘ−Ｙ平面の面積より求めた円相当径の５０パーセント平均粒子径Ｒ５０が０．５〜３μｍであり、且つ、Ｒ５０／Ｚ＞５の条件を満たすことが好ましい。
【００１９】
このような、金属材料は、例えば、アルミニウムやアルミニウム合金によって形成することができる。メタリックインクに含まれる金属顔料の濃度は、例えば、０．１〜１０．０重量パーセントとすることができる。もちろん、メタリックインクはこのような組成に限らず、メタリック感が生じる組成であれば他の組成を適宜採用することができる。
【００２０】
（Ｂ）印刷処理
次に、印刷装置１０が画像データーＯＲＧをもとに行う印刷処理について説明する。図３は、印刷処理を説明するフローチャートである。印刷処理は、ユーザーがアプリケーションプログラム３０上で印刷を指示することによって開始される。本発明では、この印刷処理において、印刷物の質感（メタリック質感）の指定を受付ける。そして、受け付けた質感に対応するインク量セット（色変換ＬＵＴ）の選択が行われる。
【００２１】
ステップＳ１では、コントローラー２０は、アプリケーションプログラム３０の機能により、画像データーＯＲＧに対してソースプロファイル３１を用いた変換処理を行なう。ソースプロファイル３１は、画像データーＯＲＧの色成分値を予め設定された印刷標準色に変換するための３次元テーブルである。即ち、ソースプロファイル３１により、画像データーＯＲＧの色成分値（Ｒ、Ｇ、Ｂ、Ｔｍ）の内、１組のメタリック色彩値（Ｒ、Ｇ、Ｂ）に対して、１組の（Ｌ＊、ａ＊、ｂ＊）値に変更される。
【００２２】
ステップＳ２では、コントローラー２０は、アプリケーションプログラム３０の機能により、変換後の画像データーＯＲＧに対して、メディアプロファイル３２を用いた変換処理を行なう。メディアプロファイル３２は、画像データーＲＯＧの色成分値を印刷対象画像の色を所定の印刷媒体上で再現するための３次元テーブルである。即ち、メディアプロファイル３２により、ソースプロファイル３１を用いて変換された画像データーＯＲＧの色成分値（Ｌ＊、ａ＊、ｂ＊、Ｔｍ）の内、１組の（Ｌ＊、ａ＊、ｂ＊）成分値に対して、１組の（Ｒ、Ｇ、Ｂ）の色成分値に変更される。
【００２３】
そして、ステップＳ３では、コントローラー２０は、アプリケーションプログラム３０の機能により、印刷物の質感を設定するための質感指定画像を表示し、質感の指定を受ける。図４は、質感指定画像を説明する図である。この質感指定画像において、画像データーＯＲＧのメタリック質感値Ｔｍが指定されることとなる。
【００２４】
図４（ａ）に示すように、質感指定画像では、縦軸を（指標値１）とし、横軸を（指標値２）とする２軸により印刷物の質感を指標化している。ここで、図４（ｂ）に示すように、（指標値１）は、プリンター２００がメタリックインクを使用して再現可能な印刷物において、所定光源下で同印刷物を観察した場合の反射光の強度の分布を示す。即ち、軸上の値が高くなるに従って、印刷物において高強度の反射光が広範囲で分布することとなる。また、図４（ｃ）に示すように、（指標値２）は、プリンター２００がメタリックインクを使用して再現可能な印刷物において、所定光源下で印刷物を観察した場合の所定強度レベルの反射角度の分布を示す。即ち、軸上の値が高くなるに従って、印刷物では、所定強度レベルの光を反射させる反射角が多くなる。
【００２５】
また、メタリックインクを下地にして、その上にカラーインクを印刷する印刷物では、メタリックインク（Ｍｔ）とカラーインク（Ｃ、Ｍ、Ｙ、Ｋ）の組み合わせに応じて、印刷物の見栄えが変化する。特に、本発明では、印刷物の質感を、「ミラーボール感」、「ラメ調感」、「プリズム感」、「光沢・鏡面感」の４つの質感に区分けしている。ここで、「ミラーボール感」は、官能的に、強い反射光が多く分布し、所定強度の反射光での角度の分布が多い質感である。また、「ラメ調感」は、官能的に、強い反射光が多く分布し、所定強度の反射光での角度の分布が少ない質感である。そして、「プリズム感」は、官能的に、強い反射光の分布は少ないものの、所定強度の反射光での角度の分布が多い質感である。さらに、「光沢・鏡面感」は、官能的に、強い反射光の分布は少なく、所定強度の反射光での角度の分布が少ない質感である。
そのため、これら４つの質感を規定する、強い反射光の分布（指標値１）と、所定強度の反射角の分布（指標値２）とを指標化し、印刷物の質感を指標的に評価できるようにしている。
【００２６】
そのため、ＨＤＤ６６には、インク量セット（Ｃ、Ｍ、Ｙ、Ｍｔ）と、このインク量セットが満たす（指標値１）及び（指標値２）とを対応付けるデーターベース（以下、質感プロファイル３３）を記録している。その一例として、質感プロファイル３３には、（指標値１）及び（指標値２）の各値に応じて、インク量セットをグループ化している。即ち、このグループが後述する（指標値１）及び（指標値２）の組合せに対応する色変換ＬＵＴの出力色データーに対応する。また、質感プロファイル３３は、後述する、メタリック質感値コンバーターＴｍＣにより作成される。そのため、質感指定画像は、この質感プロファイル３３を基に、画面上に表示されることとなる。以上、ステップＳ３により、本発明の表示手段、表示工程、表示機能を実現する。
【００２７】
また、質感指定画像の一例として、質感プロファイル３３に記録された反射強度の分布の標準偏差と、所定強度以上の反射光の分布の標準偏差とを、相対化して、縦軸（指標値１）と横軸（指標値２）の目盛りが設定される。例えば、（指標値１）により規定される目盛り数ｊとし、（指標値２）により規定される目盛り数をｋとすれば、質感指定画像Ｇｔにより、ｊ×ｋ個の質感を選択することができる。なお、各質感（「ミラーボール感」、「ラメ調感」、「プリズム感」、「光沢・鏡面感」）の区画は、例えば、（指標値１）（指標値２）の平均値をもとに設定される。
【００２８】
ステップＳ４では、コントローラー２０は、プリンタードライバー５０の機能により、受け付けた質感に応じた色変換ＬＵＴを使用して色変換処理を行なう。即ち、ＨＤＤ６６には、上記した（指標値１）及び（指標値２）で指標化される値に応じて、複数の色変換ＬＵＴを記録している。色変換ＬＵＴは、入力色データー（Ｒ、Ｇ，Ｂ、Ｔｍ）に対して、インク量セット（Ｃ、Ｍ、Ｙ、Ｋ、Ｍｔ）を出力色データーとして対応付けたテーブルである。各色変換テーブルには、質感指定画像で指定される（指標値１）と（指標値２）との組合せを満たすよう選択されたインク量セット（Ｃ、Ｍ、Ｙ、Ｋ、Ｍｔ）を出力色データーとして記録している。そのため、色変換モジュール５２は、ステップＳ３で受け付けたメタリック質感Ｔｍに応じて、該当する色変換ＬＵＴを選択し、該当色変換ＬＵＴを用いて、入力色データー（Ｒ、Ｇ、Ｂ、Ｔｍ）を、出力色データー（Ｃ、Ｍ、Ｙ、Ｋ、Ｍｔ）に変換する。以上、ステップＳ３、Ｓ４により、本発明の処理手段、処理工程、処理機能を実現する。
【００２９】
以後、ステップＳ５において、コントローラー２０は、ハーフトーンモジュール５４の機能により、色変換後のインク量データーに対してハーフトーン処理を施す。そして、ステップＳ６では、コントローラー２０は、インターレースモジュール５６の機能により、ハーフトーン処理後のインク量データーに対してインターレース処理を行なう。
【００３０】
そして、ステップＳ７では、処理後のインク量データーをプリンター２００に出力し、プリンター２００における実際の印刷が実行される。そのため、プリンター２００は、質感指定画面により指定されたメタリック質感Ｔｍに対応したインク量セットにより印刷物を印刷する。
【００３１】
（Ｃ１）色変換ＬＵＴの作成について
次に、プリンター２００により使用される色変換ＬＵＴの作成を説明する。図５は、色変換ＬＵＴ作成装置を示すブロック構成図である。また、図６は、色変換ＬＵＴを作成するためのフローチャートである。即ち、図６に示す処理により、各メタリック質感Ｔｍに対応するインク量セットを備える色変換ＬＵＴが作成される。
【００３２】
色変換ＬＵＴ作成装置３００は、ＣＰＵ、ＲＯＭ、ＲＡＭを備えて構成されるコントローラー３１０と、ハードディスク３４０と、図示しないモニターや各種入力インタフェースとを備えるコンピューターにより実現される。そして、コントローラー３１０は、図示しないＲＯＭに記録されたプログラムを実行することで、処理対象格子点選択部３１２と、最適化処理部３１４と、ＬＵＴ更新部３１６と、の機能を実現する。
【００３３】
以下、図６を用いて、色変換ＬＵＴ作成装置３００による色変換ＬＵＴの作成方法を説明する。なお、この色変換ＬＵＴ作成装置３００により作成される色変換ＬＵＴには、該当するメタリック質感値Ｔｍに応じたインク量セット（Ｃ、Ｍ、Ｙ、Ｋ、Ｍｔ）が記録されている。
【００３４】
まず、コントローラー３１０は、初期ＬＵＴを取得する（ステップＳ１１）。初期ＬＵＴは、メタリック質感値Ｔｍと、メタリック色彩値Ｃｍ（Ｒ、Ｇ、Ｂ）を備える色成分値（Ｒ、Ｇ、Ｂ、Ｔｍ）に対して、インク量セット（Ｃ、Ｍ、Ｙ、Ｋ、Ｍｔ）で構成される各出力値を対応付けるテーブルである。なお、以下では、色成分値（Ｒ、Ｇ，Ｂ、Ｔｍ）により規定される入力値のことを格子点とも記載する。また、初期ＬＵＴに記録される入力値は、メタリック色彩値Ｃｍの全ての階調値が記録されるのではなく、代表的な値のみが記録されている。
【００３５】
次に、コントローラー３１０は、処理対象格子点選択部３１２の機能により、初期ＬＵＴに対して処理対象格子点の選択を行う（ステップＳ１２）。
そして、コントローラー３１０は、最適化処理部３１４の機能により、選択された格子点に対してインク量セット（Ｃ、Ｍ、Ｙ、Ｋ、Ｍｔ）に対して最適化処理を行う（ステップＳ１３）。最適化処理では、初期ＬＵＴの該当格子点に対応付けられたインク量セット（Ｃ、Ｍ、Ｙ、Ｋ、Ｍｔ）に対して、メタリック色彩値Ｃｍ、及びメタリック質感値Ｔｍを満たすようインク量セットの更新が行われる。即ち、ある格子点において、メタリック色彩値の対応関係を満たしつつ、メタリック質感値Ｔｍを規定する（指標値１）及び（指標値２）の関係を満たすよう、インク量セット（Ｃ、Ｍ、Ｙ、Ｋ、Ｍｔ）が最適化される。
【００３６】
コントローラー３１０は、ＬＵＴ更新部３１６の機能により、更新後のインク量セットを初期ＬＵＴの対象格子点に上書きして、初期ＬＵＴを更新する（ステップＳ１４）。そのため、格子点には、メタリック質感値Ｔｍを満たすインク量セットが設定される。以下、全ての格子点についてインク量セットの更新が行われていない場合（ステップＳ１５：ＮＯ）、全ての格子点について処理が終了するまで、ステップＳ１２からステップＳ１４までの処理を繰返す。このようにして作成された色変換ＬＵＴは、（指標値１）及び（指標値２）の各値で指定されるメタリック質感Ｔｍを満たす色変換ＬＵＴとなる。
以下、ステップＳ１１〜Ｓ１４までの処理は、質感指定画像上で選択可能な全てのメタリック質感Ｔｍに該当する色変換ＬＵＴが作成されるまで繰返される。
【００３７】
（Ｃ２）最適化処理
次に、図６のステップＳ１３において実行される最適化処理を説明する。まず、最適化処理に用いられる多角度分光プリンティングモデルコンバーターＲＣ、メタリック色彩値コンバーターＣｍＣ、メタリック質感値コンバーターＴｍＣについて説明する。
【００３８】
図７は、多角度分光プリンティングモデルコンバーターＲＣについて説明する図である。図７（ａ）に示すように、多角度分光プリンティングモデルコンバーターＲＣは、任意のインク量セット（Ｃ、Ｍ、Ｙ、Ｋ、Ｍｔ）を、多角度分光反射率Ｒ（λ、θ）に変換するコンバーターである。この多角度分光プリンティングモデルコンバーターＲＣにより、任意のインク量セット（Ｃ、Ｍ、Ｙ、Ｋ、Ｍｔ）における、所定受光角度θ（θ：０°〜１８０°）での分光反射率Ｒ（λ、θ）が取得される。本実施形態では、多角度分光反射率Ｒ（λ、θ）を、下記式（１）で定義する。
【００３９】
【数１】
2013143719.tif 000003
λ：反射光の波長要素
θ：反射光の反射角要素
ｉ：インク量（Ｃ、Ｍ、Ｙ、Ｋ、Ｍｔ）
ｉｃ：カラーインクのインク量セット（Ｃ、Ｍ、Ｙ、Ｋ）
ｉｍ：メタリックインクのインク量（Ｍｔ）
【００４０】
式（１）において、Ｒｃ（λ、ｉｃ）は、メタリックインクＭｔを除くカラーインク（Ｃ、Ｍ、Ｙ、Ｋ）のインク量セットｉｃにおける印刷画像の分光反射率（拡散反射率：入射光の入射角θ＝４５°、反射角θ＝９０°）を示している。Ｒｍ（λ、θ、ｉｍ）は、メタリックインク単色のインク量ｉｍにおける印刷画像の多角度分光反射率を示している。Ｒｗ（λ）は、所定の印刷媒体、すなわち印刷処理に用いる印刷媒体の地色の分光反射率（拡散反射率）を示している。
【００４１】
図７（ｂ）に示すように、多角度分光プリンティングモデルコンバーターＲＣは、所定の組数のインク量セット（Ｃ、Ｍ、Ｙ、Ｋ、Ｍｔ）におけるＲｃ（λ、ｉｃ）、及びＲｍ（λ、ｉｍ）の実測値（測色値）から、任意のインク量セット（Ｃ、Ｍ、Ｙ、Ｋ、Ｍｔ）における多角度分光反射率Ｒ（λ、θ）を予測することとなる。
【００４２】
次に、多角度分光プリンティングモデルコンバーターＲＣにより使用されるカラーインクにおける分光反射率Ｒｃ（λ、ｉｃ）の予測方法について説明する。まず、カラーインク（Ｃ、Ｍ、Ｙ、Ｋ）のインク量空間における複数の代表点について実際にカラーパッチ（ｉ）を印刷し、その拡散分光反射率を測色機によって測色する。そして、得られた拡散分光反射率のデーターベースを用い、セル分割ユール・ニールセン分光ノイゲバウアモデル（Cellular Yule-Niclsen Spectral Neugebauer model:CYNSN）を用いた予測を行うことにより、任意のカラーインクで印刷を行った場合の拡散分光反射率Ｒｃ（λ、ｉｃ）を予測する。なお、セル分割ユール・ニールセン分光ノイゲバウアモデルは、公知の技術であり（例えば、特開２００７−５１１１６１に記載）、説明は省略する。
【００４３】
次に、メタリックインク（Ｍｔ）の多角度分光反射率Ｒｍ（λ、θ、ｉｍ）の予測方法について説明する。まず、段階的にインク量を変化させて、各インク量におけるメタリックインク単色の印刷画像（以下、メタリックパッチとも記載する。）を印刷する。そして、印刷したメタリックパッチの多角度分光反射率を実際に分光反射率計によって測色する。そして、測定によって得られた各メタリックのインク量における多角度分光反射率のデーターベースを用いて、補間演算を行うことにより、任意のメタリックインクのインク量で印刷を行った場合の多角度分光反射率Ｒｍ（λ、θ、ｉｍ）を予測する。
【００４４】
Ｒｗ（λ）は、実際に印刷媒体を分光反射率計によって測色して取得される。多角度分光プリンティングモデルコンバーターＲＣは、このようにして取得されたカラーインク（Ｃ、Ｍ、Ｙ、Ｋ）の分光反射率Ｒｃ（λ、ｉｃ）と、メタリックインク（Ｍｔ）の多角度分光反射率Ｒｍ（λ、θ、ｉｍ）と、地色の分光反射率Ｒｗ（λ）をともに、式（１）を用いた演算により多角度分光反射率Ｒ（λ、θ、ｉ）を取得する。
【００４５】
次に、メタリック色彩値コンバーターＣｍＣ及びメタリック質感値コンバーターＴｍＣについて説明する。図８は、各コンバーターＣｍＣ、ＴｍＣを説明する図である。
図８（ａ）に示すように、メタリック色彩値コンバーターＣｍＣは、多角度分光プリンティングモデルコンバーターＲＣにより取得された任意のインク量セットの多角度分光反射率Ｒ（λ、θ、ｉｃ）から、θ＝０となる多角度分光反射率Ｒ（λ、０、ｉｃ）を取得する。そして、メタリック色彩値コンバーターＣｍＣは、取得したＲ（λ、０、ｉｃ）から公知の変換式をもとに、Ｌ＊ａ＊ｂ＊の値を取得する。
【００４６】
一方、図８（ｂ）に示すように、メタリック質感値コンバーターＴｍＣは、インク量セット（Ｃ、Ｍ、Ｙ、Ｋ、Ｍｔ）を入力値として、このインク量セットの最大色彩値の分布Ｄｍａｘｌ（指標値１に対応）、及び所定強度以上の反射角の分布Ｄｒｅｆｄ（指標値２に対応）とを出力するコンバーターである。具体的には、メタリック質感値コンバーターＴｍＣは、インク量セットと、最大色彩値の分布Ｄｍａｘｌ、反射角の分布Ｄｒｅｆｄとを対応付ける質感プロファイル３３を保持している。
【００４７】
メタリック質感値コンバーターＴｍＣが、質感プロファイル３３を作成する手法として、以下の一例を示す。図９は、質感プロファイル３３を作成する手法を説明するフローチャートである。また、図１０は、質感プロファイル３３を作成する手法を説明する図である。
まず、図１０（ａ）に示すように、インク量セット（Ｃ、Ｍ、Ｙ、Ｋ、Ｍｔ）の複数の代表点からなるカラーパッチ（ｉ）を印刷する（ステップＳ１１０）。このカラーパッチ（ｉ）は、各インクの階調値を変化させつつ複数形成される。また、各カラーパッチ（ｉ）は、メタリックインクＭｔを下地として、この下地の上に各カラーインク（Ｃ、Ｍ、Ｙ、Ｋ）を印刷して形成される。
【００４８】
次に、所定インク量セットにおける多角度色彩情報を複数の測色点をもとに取得する（ステップＳ１２０）。具体的には、各カラーパッチ（ｉ）に対して、受光角度を変化（例えば、０°〜１８０°）させながら、該当カラーパッチ（ｉ）に対して複数の測色点で測色を行う。以下、このようにして取得された多角度色彩情報をＤ（ｉ、ｐ、θ、Ｃ）とする。なお、ｐはカラーパッチ（ｉ）での任意の測色点を示す。また、Ｃは、測色値（Ｌ＊ａ＊ｂ＊値）を示す。
【００４９】
次に、所定パッチ（ｉ）における多角度色彩情報の内、最大色彩値の度数分布を取得する（ステップＳ１３０）。例えば、取得された多角度色彩情報Ｄ（ｉ、ｐ、θ、Ｃ）の内、最大明度Ｌ＊の分布を取得する。このとき、測色点ｐと受光角度θを考慮することなく、色彩値Ｃの明度Ｌ＊のみを判断対象とする。そのため、図１０（ｂ）に示すように、あるパッチ（ｉ）において横軸を明度Ｌ＊とする度数分布が取得される。
【００５０】
次に、最大色彩値の度数分布をもとに指標値Ｄｍａｘｌ（指標値１）の値を取得する（ステップＳ１４０）。その一例として、最大色彩値の分布の標準偏差をもとに指標値Ｄｍａｘｌの値を取得する。この標準偏差の値により、該当インク量セットに対して、最大明度Ｌ＊の分布程度を判断することができる。そのため、強い反射光の分布を示す指標値（指標値１）を取得することができる。
【００５１】
次に、取得された多角度色彩情報Ｄ（ｉ、ｐ、θ、Ｃ）の内、所定の色彩値以上となる反射角の度数分布を取得する（ステップＳ１５０）。例えば、所定パッチ（ｉ）の多角度色彩情報Ｄ（ｉ、ｐ、θ、Ｃ）において、閾値Ｔｈｌ以上となる明度Ｌ＊を有する反射角θの分布を取得する。そのため、図１０（ｃ）に示すように、あるパッチ（ｉ）において横軸を反射角θとする度数分布が取得される。
【００５２】
次に、反射角θの度数分布をもとに指標値Ｄｒｅｆｄ（指標値２）の値を取得する（ステップＳ１６０）。例えば、反射角θの度数分布の標準偏差をもとに指標値Ｄｒｅｆｄの値を取得する。そのため、この標準偏差の値により、該当インク量セットに対して、所定強度以上の明度Ｌ＊を有する反射角度θの分布を判断することができる。そのため、所定強度以上の反射角の分布（指標値２）の値を取得することができる。
【００５３】
メタリック質感値コンバーターＴｍＣは、上記のように、インク量セット毎に取得された指標値Ｄｍａｘｌ、指標値Ｄｒｅｆｄを、インク量セット毎に対応付けて、質感プロファイル３３を作成する。
【００５４】
そして、上記説明した、多角度分光プリンティングモデルコンバーターＲＣ、メタリック色彩値コンバーターＣｍＣ、メタリック質感値コンバーターＴｍＣを用いて、最適化処理部３１４により、インク量セットの最適化が行われる。最適化処理部３１４は、上記各コンバーターにより取得される、メタリック指標値Ｃｍ、及びメタリック質感値Ｔｍ（Ｄｍａｘｌ、Ｄｒｅｆｄ）をもとに、下記式（２）に示す評価関数Ｅを算出する。
【数２】
2013143719.tif 000004
【００５５】
上記式（２）において、ｗ１、ｗ２は所定の重み係数を示す。＜＞はベクトルを意味する。Ｃｍ０は、処理対象格子点（Ｒ、Ｇ，Ｂ，Ｍｔ）のうち（Ｒ、Ｇ、Ｂ）の値のＬ＊ａ＊ｂ＊値を示す。この値は、例えば、ソースプロファイル３１を用いて取得される。また、Ｔ１は、作成対象の色変換ＬＵＴに求められる質感（指標値１）を示すターゲット値である。また、Ｔ２は、作成対象の色変換ＬＵＴに求められる質感（指標値２）を示すターゲット値である。即ち、Ｔ１と、Ｔ２は、質感指定画像上に示される（指標値１）及び（指標値２）に該当する。そのため、最適化処理部３１４は、該当格子点毎に上記式（２）で算出される評価関数Ｅを算出し、この評価関数Ｅが最小となるまでインク量セットを更新する。
【００５６】
この最適化処理部３１４の処理により、全ての格子点に対して、メタリック色彩値Ｃｍ及びメタリック質感値Ｔｍを満たすインク量セット（Ｃ、Ｍ、Ｙ、Ｋ、Ｍｔ）が設定される。そのため、各メタリック質感値Ｔｍに応じた色変換ＬＵＴが作成されることとなる。
【００５７】
以上説明したように、本発明によれば、メタリックインクを含めたインク量セットにおいて印刷された印刷物に対して、金属光沢の質感を指標化することができる。そのため、この指標値を示す画像を表示させることで、ユーザーに対して、印刷物の金属光沢を選択させることができる。
【００５８】
（Ｄ）その他の実施形態
本発明は、様々な実施形態が存在する。
質感指定画像Ｇｔを、２つの指標値の軸で示される座標で示すことが一例であり、例えば、代表的な指標値を有する色変換ＬＵＴにより再現される画像を表示するものであってもよい。例えば、質感指定画像Ｇｔとして、「ミラーボール感」、「ラメ調感」、「プリズム感」、「光沢・鏡面感」の４つの質感に対応したプレビュー画面を表示し、ユーザーに印刷物の質感を選択させる構成としてもよい。
【００５９】
また、メタリック質感値Ｔｍを、明度Ｌ＊により判断することは一例であり、これ以外にも、分光反射率を用いて判断するものであってもよい。
【００６０】
また、色補正ＬＵＴの出力色データーを、カラーインク（Ｃ、Ｍ、Ｙ、Ｋ）と、メタリックインク（Ｍｔ）で構成することは一例に過ぎない。例えば、印刷装置１０が、カラーインク用の色補正ＬＵＴと、メタリックインク用の色補正ＬＵＴとを別々に備える構成としてもよい。この場合、色変換モジュール５２は、画像データーＯＲＧで指定される入力色データーを基に、２つの色補正ＬＵＴを参照して、出力色データー（インク量セット）を選択する。
【００６１】
なお、本発明は上記実施例に限られるものでないことは言うまでもない。即ち、上記実施例の中で開示した相互に置換可能な部材および構成等を適宜その組み合わせを変更して適用すること、公知技術であって上記実施例の中で開示した部材および構成等と相互に置換可能な部材および構成等を適宜置換し、またその組み合わせを変更して適用すること、公知技術等に基づいて当業者が上記実施例の中で開示した部材および構成等の代用として想定し得る部材および構成等と適宜置換し、またその組み合わせを変更して適用すること、は本発明の一実施例として開示されるものである。
【符号の説明】
【００６２】
１０…印刷装置、２０…コントローラー、３０…アプリケーションプログラム、３１…ソースプロファイル、３２…メディアプロファイル、３３…質感プロファイル、４０…ビデオドライバー、５０…プリンタードライバー、５２…色変換モジュール、５４…ハーフトーンモジュール、５６…インターレースモジュール、６６…ハードディスク、１００…コンピューター、２００…プリンター、３００…色変換ＬＵＴ作成装置、３１０…コントローラー、３１２…処理対象格子点選択部、３１４…最適化処理部、３１６…ＬＵＴ更新部
【図１】
2013143719.tif 000005
【図２】
2013143719.tif 000006
【図３】
2013143719.tif 000007
【図４】
2013143719.tif 000008
【図５】
2013143719.tif 000009
【図６】
2013143719.tif 000010
【図７】
2013143719.tif 000011
【図８】
2013143719.tif 000012
【図９】
2013143719.tif 000013
【図１０】
2013143719.tif 000014